(57)【要約】【課題】  延長ノズルを備えたエアゾール容器において、延長ノズルを操作部の噴射口から取り外すことなく容器本体に沿う姿勢に格納することを可能にする。【解決手段】  延長ノズル４を備えたエアゾール容器において、延長ノズル４に蛇腹状の屈伸部５を設ける。屈伸部５は、延長ノズルを任意の角度及び方向に折曲げ可能でかつその折曲げ姿勢を保形する機能を発揮する。屈伸部５を下向きに折り曲げると、延長ノズル４が容器本体１に沿う姿勢に格納される。【選択図】        図１
0003103722.tif 000002
【実用新案登録請求の範囲】
【請求項１】
噴射口を備えた操作部を操作することによってその操作部が取り付けられている容器本体の内容物が上記噴射口から噴出するようになっているエアゾール容器において、
先端部に噴射口を有して基端部に具備された取付部が上記噴射口に取り付けられた細筒形のプラスチック製延長ノズルを備え、その延長ノズルの上記取付部の隣接箇所に、その延長ノズルを任意の角度及び方向に折曲げ可能でかつその折曲げ姿勢を保形する機能を備えた蛇腹状の屈伸部が一体成形されていることを特徴とするエアゾール容器。
【請求項２】
上記延長ノズルの取付部が、上記操作部の噴射口に対して嵌脱可能であり、その延長ノズルは、上記容器本体に沿う下向き姿勢に折り曲げられて保形されているときにその先端部が上記容器本体の下端よりも上位に位置する長さを有している請求項１又は請求項２に記載したエアゾール容器。
【考案の詳細な説明】
【技術分野】
【０００１】
本考案は、内容物を噴出口から噴射して用いるようになっているエアゾール容器に関する。
【背景技術】
【０００２】
エアゾール容器は、自動車用塗料や液体油脂、洗浄剤などの容器として多用されていて、一般的には、噴射口を備えた押ボタン式の操作部を押込み操作することによって容器本体の内容物が操作部の噴射口から噴出し、操作部の押込み操作を止めると操作部が初期位置に復帰して内容物の噴出が止まるようになっている。
【０００３】
従来、この種のエアゾール容器において、操作部の噴出口に細筒状の延長ノズルを着脱するものが知られていた。このエアゾール容器は、腰の強いプラスチック製の細いチューブの基端部に操作部の噴射口に嵌脱可能な取付部を備えていて、その取付部を操作部の噴射口に嵌合状に装着すると延長ノズルが前方へ長く突き出す。そのため、延長ノズルを介して狭い隙間などに内容物を吹きつけることができる。また、エアゾール容器を使用しないときには、その延長ノズルを操作部の噴射口から取り外して保管しておくことにより次回の使用に備えるようになっている。
【考案の開示】
【考案が解決しようとする課題】
【０００４】
しかしながら、従来のエアゾール容器において、使用しないときに延長ノズルを操作部の噴射口に装着したままにしておくと、延長ノズルが前方へ長く突き出してじゃまになったり、延長ノズルが何かに当たって折れ曲がったり折損したりすることがあった。そのため、エアゾール容器の使用後に、その都度、延長ノズルを取り外していたけれども、延長ノズルを取り外してしまうと、その延長ノズルが紛失してしまって次回に使用することができなくなるという不都合を経験することが多かった。
【０００５】
本考案は以上の状況の下でなされたものであり、操作部の噴射口に取り付けられた延長ノズルを、使用時には前方やその他の任意の方向に向けることが可能であり、使用しないときには、延長ノズルを操作部の噴射口から取り外すことなく容器本体に沿う姿勢に格納しておくことのできるエアゾール容器を安価に提供することを目的とする。
【０００６】
また、本考案は、延長ノズルを必要に応じて操作部の噴射口に嵌脱することができるようにして、内容物を操作部の噴射口から直接噴出させたり、内容物を延長ノズルを介して噴出させたりすることが可能になるエアゾール容器を提供することを目的とする。
【課題を解決するための手段】
【０００７】
本考案に係るエアゾール容器は、噴射口を備えた操作部を操作することによってその操作部が取り付けられている容器本体の内容物が上記噴射口から噴出するようになっている。そして、先端部に噴射口を有して基端部に具備された取付部が上記噴射口に取り付けられた細筒形のプラスチック製延長ノズルを備え、その延長ノズルの上記取付部の隣接箇所に、その延長ノズルを任意の角度及び方向に折曲げ可能でかつその折曲げ姿勢を保形する機能を備えた蛇腹状の屈伸部が一体成形されている。
【０００８】
この構成を備えたエアゾール容器では、操作部を操作してその操作部の噴射口から容器本体の内容物を噴出させると、噴射口から噴出した内容物が、延長ノズルを介してその先端部の噴射口から噴出する。そして、延長ノズルの噴射口からの内容物の噴出方向は、延長ノズルの屈伸部を所望の角度及び方向に折り曲げてその折曲げ姿勢を変えることによって任意の方向に定めることが可能である。また、屈伸部を折り曲げて延長ノズルを容器本体に沿う折曲げ姿勢に保形させておくことが可能であるので、使用後にはそのようにして延長ノズルを容器本体に沿う姿勢で格納しておくことが可能である。さらに、延長ノズルは、取付部の隣接箇所に蛇腹状の屈伸部を一体成形して具備させただけの構成によって、その延長ノズルを任意の角度及び方向に折曲げ可能でかつその折曲げ姿勢を保形する機能を発揮するようになっているので、延長ノズル自体が安価になり、ひいてはエアゾール容器を安価に提供することが可能になる。
【０００９】
本考案では、上記延長ノズルの取付部が、上記操作部の噴射口に対して嵌脱可能であり、その延長ノズルは、上記容器本体に沿う下向き姿勢に折り曲げられて保形されているときにその先端部が上記容器本体の下端よりも上位に位置する長さを有している、という構成を採用することが可能である。この構成であると、延長ノズルを操作部の噴射口に取り付けてその延長ノズルの噴射口から内容物を噴出させるという使用状態と、延長ノズルを取り外して操作部の噴射口から直接に内容物を噴出させるという使用状態と、を必要に応じて使い分けることが可能である。また、延長ノズルを操作部の噴射口に取り付けた場合、使用後にその延長ノズルをいちいち取り外さなくても、延長ノズルの屈伸部を折り曲げてその延長ノズルを容器本体に沿う姿勢で格納しておくことも可能である。
【考案の効果】
【００１０】
以上のように、本考案によれば、延長ノズルを前方やその他の任意の方向に向けた状態で内容物を噴出させることが可能であるだけでなく、延長ノズルを操作部の噴射口から取り外すことなく容器本体に沿う姿勢に格納しておくことも可能であるので、使用しないときに延長ノズルが前方へ長く突き出してじゃまになったり延長ノズルが何かに当たって折れ曲がったり折損したりするということを未然に防止することができるようになる。また、延長ノズルが紛失してしまって次回に使用することができなくなるということもなくなる。さらに、延長ノズルは、取付部の隣接箇所に蛇腹状の屈伸部を一体成形で具備させただけの構成によって、その延長ノズルを任意の角度及び方向に折曲げ可能でかつその折曲げ姿勢を保形する機能を発揮するようになっているので、延長ノズル自体が安価であり、ひいてはエアゾール容器を安価に提供することが可能になる。
【考案を実施するための最良の形態】
【００１１】
図１（Ａ）は本考案の実施形態に係るエアゾール容器において延長ノズル４を格納してキャップ２を装着した状態の斜視図、（Ｂ）は同エアゾール容器においてキャップ２を取り外した状態の斜視図、図２は同エアゾール容器において延長ノズル４を前方に突き出した状態の斜視図、図３は本考案の他の実施形態に係るエアゾール容器において延長ノズル４を格納した状態の斜視図、図４は同エアゾール容器において延長ノズル４を前方に突き出した状態の斜視図、図５は延長ノズル４の屈伸部５の概略部分断面図、図６は延長ノズル取付箇所の部分断面図である。
【００１２】
図１又は図２において、１は有底円筒状の容器本体、２は保護キャップ、３は容器本体１に上蓋部１２を介して装備された操作部であり、操作部３はその前面で開口する噴射口（図１及び図２には現れていない）を備えていて、その噴射口に延長ノズル４の基端部に具備された取付部４１が取り付けられている。そして、操作部３を手の指で押込み操作すると、容器本体１の中の内容物が操作部３の噴射口からその前方に向けて噴出し、さらに延長ノズル４の内部通路を通ってその先端部の噴射口４２から噴出する。これに対し、操作部３から指を離して押込み力を解除すると、操作部３が、内蔵ばね部材などによる弾性によって初期位置に復帰する。
【００１３】
延長ノズル４はポリプロピレンなどで成形されたプラスチック製の細筒の基端部を上記取付部４１とし、その先端部を上記噴射口４２として形成することに加えて、取付部４１の隣接箇所に屈伸部５を一体成形してなる。そして、図６のように、取付部４１を操作部３の噴射口３１に抜き差しすることによってその噴射口３１に対して嵌脱することができるようになっている。このような延長ノズル４は安価であるので、延長ノズル４を追加することでエアゾール容器の価格が極端に高くなるということにはならない。
【００１４】
図５に示したように、図例の屈伸部５は、傾斜角度と長さとが異なる２つの片部５２，５３を備える環状山形部５１を軸線方向に所要数だけ連続させて蛇腹状に成形してなり、任意の角度及び方向に折曲げ可能でかつその折曲げ姿勢を保形する機能を備えている。この屈伸部５の構成は、嗜好品であるジュースなどを飲むときに用いる所謂ストローと呼ばれるプラスチック製の細筒体に折曲り機能を付与するときにその細筒体の一部に形成される蛇腹部分に見られる構成と同様である。
【００１５】
延長ノズル４がこのように構成されていると、延長ノズル４を用いる必要がないときには、その取付部４１を操作部３の噴射口３１から引き抜いて延長ノズル４を取り外し、その状態で、操作部３を手の指で押込み操作して容器本体１の中の内容物を操作部３の噴射口３１からその前方に向けて噴出させればよい。これに対し、狭い隙間などの中に内容物を噴出させたいときは延長ノズル４を用いると便利である。その場合には、延長ノズル４の取付部４１を操作部３の噴射口３１に差し込んで延長ノズル４を取り付け、屈伸部５を伸縮させたり所望の角度及び方向に曲げたりして延長ノズル４の向きを定めた後、操作部３を手の指で押込み操作して容器本体１の中の内容物を、操作部３の噴射口３１と延長ノズル４を経てその噴射口４２から噴出させればよい。
【００１６】
延長ノズル４を取り付けたエアゾール容器の使用後に、延長ノズル４の屈伸部５を下向きに略直角に折り曲げると、図１（Ａ）（Ｂ）のように延長ノズル４が容器本体１に沿う折曲げ姿勢に保形され、その姿勢で容器本体１の側部に格納される。このように使用後の延長ノズル４を容器本体１に沿う姿勢で格納しておくと、延長ノズル４が前方へ長く突き出してじゃまになったり延長ノズル４が何かに当たって折れ曲がったり折損したりするということが防止され、併せて、延長ノズルが紛失してしまって次回に使用することができなくなるということもなくなる。
【００１７】
この実施形態では、図１で判るように、延長ノズル４の長さが、延長ノズル４を容器本体１に沿う下向き姿勢に折り曲げて格納したときにその先端部の噴射口４２が容器本体１の下端よりも上位に位置するように定められている。このため、延長ノズル４を格納して容器本体１を図示のように立て置きした場合に、その延長ノズル４の先端部が載置箇所に突き当たってじゃまになるというような事態が起こらない。
【００１８】
この実施形態では、延長ノズル４の取付部４１を操作部３の噴射口３１に嵌脱可能にしたものを説明したけれども、この点は、延長ノズル４の取付部４１を操作部３の噴射口３１に取り外しできないように取り付けておいてよい。
【００１９】
図１に示したエアゾール容器において、保護キャップ２を容器本体１の上蓋部１２に装着して操作部３を覆わせておくと、操作部３を誤って押込み操作してしまうという事態が防止される。
【００２０】
図３及び図４に示したエアゾール容器は、容器本体１の上部に円筒状のカバー体６を取り付けてあり、そのカバー体６を取り付けたまま操作部３を押込み操作することができるようになっている。カバー体６には窓６１が備わっていて、操作部３の噴射口に取り付けた延長ノズル４をその窓６１を利用して外側へ引き出している。その他の事項は、図１及び図２を参照して説明した実施形態と同様であるので、同一又は相応する部分に同一符号を付して詳細な説明を省略する。
【図面の簡単な説明】
【００２１】
【図１】（Ａ）は本考案の実施形態に係るエアゾール容器において延長ノズルを格納してキャップを装着した状態の斜視図、（Ｂ）は同エアゾール容器においてキャップを取り外した状態の斜視図である。
【図２】同エアゾール容器において延長ノズルを前方に突き出した状態の斜視図である。
【図３】本考案の他の実施形態に係るエアゾール容器において延長ノズルを格納した状態の斜視図である。
【図４】同エアゾール容器において延長ノズルを前方に突き出した状態の斜視図である。
【図５】延長ノズルの屈伸部の概略部分断面図である。
【図６】延長ノズル取付箇所の部分断面図である。
【符号の説明】
【００２２】
１  容器本体
３  操作部
４  延長ノズル
５  屈伸部
３１  噴射口
４１  取付部
４２  噴射口
【図１】
0003103722.tif 000003
【図２】
0003103722.tif 000004
【図３】
0003103722.tif 000005
【図４】
0003103722.tif 000006
【図５】
0003103722.tif 000007
【図６】
0003103722.tif 000008